(57)【特許請求の範囲】
【請求項１】
１つ以上の固体素子光源と、
交流電源に接続するための入力部と、
前記１つ以上の固体素子光源を駆動するのに好適な出力を提供する前記入力部に結合したＬＣＬ直列−並列共振回路と、
を備える、照明ユニットであって、
前記ＬＣＬ直列−並列共振回路のＬＣＬは、前記照明ユニットの入力と出力との間に、実効電圧の所定の減少と対応する実効電流の所定の増加とを提供するために、前記１つ以上の固体素子光源の実効抵抗と前記ＬＣＬ直列−並列共振回路の比較的大きな所要入力抵抗とが整合するように選択され、
前記照明ユニットは、前記ＬＣＬ直列−並列共振回路を駆動するためのコントローラと複数の電子スイッチとを含み、前記コントローラは、前記電子スイッチのオンタイム変調を利用して、前記ＬＣＬ直列−並列共振回路が入力から引き出す電流の波形を決定するように適合されている、
照明ユニット。
【請求項２】
前記ＬＣＬ直列−並列共振回路は、所与の入力電圧において負荷に依存しない定電流出力を提供する第１の共振周波数と、前記第１の共振周波数に比べてはるかに大きな電力を出力に提供し、所与の入力電圧において負荷と共に変化する電流を与える第２の共振周波数と、を有し、
前記コントローラは、前記第２の共振周波数と前記第１の共振周波数との間をスイッチ可能に適合されている、
請求項１に記載の照明ユニット。
【請求項３】
前記ＬＣＬ直列−並列共振回路は、前記交流電源の特定の実効電圧に対して、所定の実質的定電圧を有する出力を提供するように構成されている、請求項１又は請求項２に記載の照明ユニット。
【請求項４】
前記ＬＣＬ直列−並列共振回路は、前記交流電源の特定の実効電圧に対して、所定の実質的に一定な電圧を、入力交流サイクルの大部分に対して供給するために、好ましくは、前記照明ユニットの入力部で受電した実際の電圧をブーストする（すなわち、上昇させる）かバックする（すなわち、降下させる）かのいずれかを行うように構成されている、請求項３に記載の照明ユニット。
【請求項５】
前記照明ユニットは、前記照明ユニットにより提供される出力での駆動に対して前記１つ以上の固体素子光源の負荷が不十分な場合、前記出力を停止し、前記照明ユニットにより提供される出力での駆動に対し前記負荷が十分な場合、前記出力を作動させるように適合されている、請求項１〜４のいずれか１項に記載の照明ユニット。
【請求項６】
前記ＬＣＬ直列−並列共振回路は、その共振周波数の１つにおいて、前記照明ユニットが所与の入力実効電圧で定電流出力を提供するように適合され、
前記ＬＣＬ直列−並列共振回路は、前記共振周波数又はその分数調波、又は前記共振周波数又はその分数調波の十分近傍において駆動される、
請求項１〜５のいずれか１項に記載の照明ユニット。
【請求項７】
前記ＬＣＬ直列−並列共振回路のキャパシタンスは、所要負荷抵抗ＲＬと前記ＬＣＬ直列−並列共振回路の所要入力抵抗Ｒｉｎとに整合するリアクタンスＸＣ１を有するように選択されている、請求項１〜６のいずれか１項に記載の照明ユニット。
【請求項８】
前記キャパシタンスは、前記所要負荷抵抗ＲＬと前記ＬＣＬ直列−並列共振回路に対する前記所要入力抵抗Ｒｉｎとの積の平方根に等しいリアクタンスを有するように選択されている、請求項７に記載の照明ユニット。
【請求項９】
前記ＬＣＬ直列−並列共振回路は、共振インダクタ中を流れる電流に対して増加した電流を有する出力を提供し、それに対応して、前記出力が前記交流電源の実効電圧に対して減少した実効電圧を有するように構成されている、請求項１〜８のいずれか１項に記載の照明ユニット。
【発明の詳細な説明】
【技術分野】
【０００１】
本発明は、電源アダプタに関し、特に、電源アダプタの入力と出力との間で実効電圧の変化を提供するのに好適な電源アダプタに関する。
【背景技術】
【０００２】
提供される家庭用の主たる電源からの電圧は、通常１２０Ｖ〜２４０Ｖの交流で、周波数は５０Ｈｚ又は６０Ｈｚである。電源アダプタを、例えば１０Ｖの負荷などの低電圧負荷の駆動に適合する場合、電源電圧と負荷の駆動に必要な電圧との比は、１０〜２０の間となる。このようにこの比が大きい場合、低電圧負荷駆動に通常利用されるスイッチング方式電源アダプタでは、導通時間の非常に短い、小さなデューティ比のスイッチングが行われ、ピークと平均との電流波形比も大きくなって、効率が非常に悪くなる。
【０００３】
従って、従来技術の電源アダプタにおいては、電圧の逓減とそれに対応する電流の逓増に好適なターン比を持った磁気変圧器を含むことが普通である。従来の電源では、この磁気変圧器が電源アダプタの入力部に設けられ、電源アダプタ全体が低電圧で作動するようになっている。そのような場合、磁気変圧器は、電源周波数（５０Ｈｚ又は６０Ｈｚ）で動作し、しかも比較的大型で、高価である。他の場合には、磁気変圧器は、スイッチング回路の一部として組み込まれ、電源アダプタ内の電子部品のスイッチング周波数で動作させることができる。そのような回路は、磁気変圧器を小型化できる利点がある。
【０００４】
しかしながら、これらの従来技術構成の全ては、磁気変圧器を必要とし、寸法がかなり大きく、効率も悪い。
【発明の概要】
【発明が解決しようとする課題】
【０００５】
従来技術に関する上記、及び／又はその他の問題点を克服、あるいは実質的に軽減する、改良された電源アダプタが考案された。
【課題を解決するための手段】
【０００６】
本発明によれば、交流電源接続のための入力部と、この入力部に結合し、負荷駆動に好適な出力を提供する共振回路と、を備える電源アダプタが提供され、電源アダプタの入力と出力との間に実効電圧の所定の変化とそれに対応する実効電流の所定の変化を提供できるように、共振回路のキャパシタンスとインダクタンスが選択される。
【０００７】
本発明による電源は、電源アダプタの入力と出力との間の実効電力の所定の変化と、それに対応する実効電流の所定の変化を、磁気変圧器を必要とせずに提供するため、基本的に有利である。電源アダプタは、磁気変圧器を必要とせず、またデューティ比（スイッチング周期に対するオン時間の割合）が小さくかつピークと平均の電流波形比の大きい電子スイッチング回路も必要とせずに、高圧メイン交流電源からの低電圧負荷の駆動に適合することができる。具体的には、電源アダプタは、高電圧の交流メイン電源（例えば、１１０Ｖ又は２３０Ｖ、周波数５０Ｈｚ又は６０Ｈｚの交流）に接続し、低電圧（例えば１０〜２０Ｖ）の固体素子光源の駆動に好適な出力を提供するように適合されてもよい。
【０００８】
共振回路のキャパシタンスとインダクタンスは、電源アダプタの入力と出力との間に、実効電圧の所定の減少と、それに対応する実効電流の所定の増加とを提供するように選択されてもよい。あるいは、共振回路のキャパシタンスとインダクタンスは、電源アダプタの入力と出力との間に、実効電圧の所定の増加と、それに対応する実効電流の所定の減少とを提供するように選択される。
【０００９】
好適な実施形態では、電源アダプタの入力部における実効電圧と電源アダプタの出力部における実効電圧との間に所定の比を与え、かつ、電源アダプタの入力部における実効電流と電源アダプタの出力部における実効電流との間に所定の比を与えるように、共振回路のキャパシタンスとインダクタンスが選択される。
【００１０】
共振回路は、好ましくは、共振インダクタ中を流れる実効電流に対して増加又は減少した実効電流を有する出力を提供し、それに対応して出力が電源の実効電圧に対して減少又は増加した実効電圧を有するように、構成される。出力は、好ましくは、共振インダクタ中を流れる電流に対して少なくともファクタ２だけ、最も好ましくは少なくともファクタ５だけ、増加又は減少した実効電流を有する。さらに、交流電源に対する出力の実効電圧は、好ましくは少なくともファクタ２だけ、最も好ましくはファクタ５だけ増減する。
【００１１】
電源アダプタの入力と出力との間における、実効電圧及び実効電流の所定の変化は、好ましくは磁気変圧器の補助なしで行われる。実際に、電源アダプタは、電源アダプタ内にある信号変換器や電源変圧器の外には、いかなる磁気変圧器も含んでいない。
【００１２】
電源アダプタの入力と出力との間における、実効電圧及び実効電流の所定の変化は、変圧器の補助なしで行われてよい。しかし、電源アダプタは、電源アダプタの出力と入力とを分離する圧電変圧器を備えてもよい。この構成においては、圧電変圧器は、電源アダプタの入力と出力との間に、実効電圧の更なる所定変化と実効電流の更なる所定変化とを提供できる。
【００１３】
電源アダプタに圧電変圧器が含まれている場合、この圧電変圧器は、共振回路のキャパシタンスの少なくとも一部を提供するように構成されてもよい。一実施形態においては、圧電変圧器は、共振回路のキャパシタンスのすべてを提供する。従って、共振回路を有する電源アダプタに圧電変圧器を含む場合、圧電変圧器を含むことは、いくつかの利点を与える。従って、本発明の更なる態様によれば、交流電源接続用の入力部と、負荷の駆動に好適な出力を提供する、入力部に結合した共振回路と、電源アダプタの出力を入力から分離する（ｉｓｏｌａｔｅ）圧電変圧器と、を備える電源アダプタが提供される。
【００１４】
出力は、好ましくは、固体素子光源などのような定電流負荷を駆動するのに好適である。従って、共振回路は、好ましくは、交流電源の特定の実効電圧に対して所定の実質的に定電圧を有する出力を提供するように構成されている。特に、共振回路は、好ましくは、交流電源の特定の実効電圧に対して所定の実質的に一定な電圧を、入力交流サイクルの大部分に対して供給するために、電源アダプタの入力部で受電した実際の電圧をブースト（ｂｏｏｓｔ）する（すなわち、上昇させる）か、バック（ｂｕｃｋ）する（すなわち、降下させる）かのいずれかを行うように構成されている。
【００１５】
従って本発明のこの構成によれば、磁気変圧器を用いる場合よりも、より広範な入力交流サイクルの領域に対して、交流電源の特定の実効電圧に対して所定の、実質的に一定な電圧を出力することが可能となる。従ってこの構成により、所定の実効電圧変化を与えるのに、磁気変圧器を利用する電源アダプタよりもバルク静電容量の小さい電源アダプタを実現することが可能である。
【００１６】
本発明のこの構成は、固定負荷を駆動するのに好適である。しかし、電源アダプタは、変動負荷の駆動にも適合可能である。特に、電源アダプタは、電源アダプタにより提供される出力での駆動に対し負荷が不十分な場合、出力を止め、電源アダプタにより提供される出力での駆動に対し負荷が十分になった場合に、出力を出すようになっていてもよい。
【００１７】
定電流負荷駆動に適した出力を提供する特に好適な構成においては、共振回路は、ＬＣＬ直列−並列共振回路をとる。
【００１８】
「ＬＣＬ直列−並列共振回路」は、直列の第１のインダクタと第１のコンデンサと、第２のインダクタを含む並列の負荷への枝（ｌｅｇ）とを備えている。第１のインダクタと第１のコンデンサとは、好ましくは、共振回路の２つの入力端子の間に直列に接続される。共振回路は、好ましくは、第１のコンデンサに並列に接続された負荷への枝を備え、ここで負荷への枝は、直列に接続された第２のインダクタと負荷駆動用の出力部とを備えている。具体的に、ＬＣＬ共振回路は、好ましくは、入力端子と出力端子とを有し、第１のインダクタＬ１が第１の入力端子から第２のインダクタＬ２との共通点を通って第１の出力端子へ接続され、第２の入力端子は第２の出力端子へ直接接続され、コンデンサＣ１が２つのインダクタの間の共通点と、第２の入力端子と第２の出力端子との間の直接接続部と、の間に接続されている。入力端子は、好ましくは、高周波インバータから駆動されるようになっている。第１のインダクタ、第１のコンデンサ、及び第２のインダクタのいずれも、単一の誘導部品又はコンデンサ部品、又はそれらの部品の組み合わせで構成されていてよい。
【００１９】
共振回路は、好ましくは、その共振周波数の１つにおいて電源アダプタが、所与の入力実効電圧で定電流出力を提供するように適合される。共振回路は、好ましくは、共振周波数又はその分数調波において、又は共振周波数又はその分数調波の十分近傍において、電源アダプタが固体素子光源等のような定電流負荷へ、好適に使用されるように駆動される。特に、第１と第２のインダクタは、好ましくは、第１のインダクタのリアクタンスＸＬ１と第２のインダクタのリアクタンスＸＬ２とが実質的に等しく、かつ第１のコンデンサのリアクタンスとも大きさが実質的に等しくなるように選択される。具体的には、この好適な実施形態においては、ＸＬ１≫ＸＬ２≫−ＸＣ１である。
【００２０】
選択された部品が所与の入力電圧においてこれらの条件を満たす場合、負荷に伝達される電流は、電源アダプタに接続された負荷に依存せず一定となる。さらに、入力電圧の変化は、負荷への定電流の大きさを直接制御する。従ってＬＥＤ等のような定電圧負荷を駆動する場合、負荷へ伝達される電力は、フィードフォワード制御又はフィードバック制御を必要とせずに、入力電圧に直接比例する。
【００２１】
ＬＣＬ直列−並列共振回路が定電流出力を与える場合、ＬＣＬ直列−並列共振回路のキャパシタンスは、好ましくは、リアクタンスＸＣ１が、所要負荷抵抗ＲＬと共振回路の比較的大きな所要入力抵抗Ｒｉｎとに整合するように選択される。第１のコンデンサは、好ましくは、次式を用いて選択される。
【数１】
0005715059.tif 000002
ここで、ＸＣ１は、第１のコンデンサのリアクタンスである。従って、第１のコンデンサのリアクタンスは、好ましくは、所要負荷抵抗ＲＬと共振回路の所要入力抵抗Ｒｉｎとの積の平方根に等しい。
【００２２】
従って、電源アダプタの出力部は、好ましくは、見掛けのインピーダンスＲＬの負荷に接続されるように適合される。ここで、第１のインダクタＬ１、第２のインダクタＬ２及び第１のコンデンサＣ１の値は、少なくとも１つの周波数においてＬ１、Ｌ２、Ｃ１のリアクタンスの大きさがほぼ同じであり、入力端子Ｒｉｎで見られる見掛け上のインピーダンスが少なくとも１つの周波数において、ＬＣＬ共振回路によって変換されて、コンデンサのリアクタンスＸＣ１の二乗を負荷の見掛け上のインピーダンスＲＬで割ったものに等しくなるように選択される。
【００２３】
従って、この共振回路のインダクタンスとキャパシタンスの選択は、電源アダプタの入力と出力との間の実効電圧に、所定の変化を与える。
【００２４】
好適な実施形態において、本発明による電源アダプタは、メインの交流電源に接続する入力部を備え、共振回路は、固体素子光源を駆動するのに好適な出力を提供する。上述のように、共振回路は、好ましくは、ＬＣＬ直列−並列共振回路である。
【００２５】
ＬＣＬ直列−並列共振回路の利用は、電源アダプタが固体素子光源駆動用の安定出力を提供するように適合される場合、特に有利である。特に、ＬＣＬ直列−並列共振回路は、固体素子光源駆動に好適な、負荷に依存しない定電流出力を提供するように適合され、いかなる形のフィードバックも複雑な制御も必要としない。ＬＣＬ直列−並列共振回路を含む電源アダプタは、従って、メイン電源から固体素子光源への電力変換を、従来の電源アダプタに比べてはるかに効率的に提供することができる。そして、従来技術のアダプタよりも小型で製造コストの小さい電源アダプタとすることができる。それに加えて、電源アダプタの出力部における電力は、入力電力の減少と共に一般的に減少するので、ＬＣＬ直列−並列共振回路を含む電源アダプタは、メイン電源に付属する通常の電力低減装置と共に用いるのに好適である。従って、本発明の更なる態様によれば、固体素子光源用の電源アダプタが提供され、電源アダプタは、メイン電源との接続用の入力部と、入力部に接続され、固体素子光源を駆動するのに好適な出力を提供する、ＬＣＬ直列−並列共振回路とを備える。
【００２６】
共振回路は、好ましくは、所与の入力電圧で、定電流出力を提供するように適合される。従って、出力部に伝達される電力は、好ましくは、制御を要さずに、入力部の電圧の変化と共に変化する。特に定電流の大きさは、好ましくは、入力電圧に比例する。さらには、共振回路は、好ましくは、所与の入力電圧で、負荷に関係しない定電流出力を提供するように適合される。このような特性を実現するために、共振回路は、好ましくは、共振周波数の１つがこの性質を提供するように適合され、共振回路は、好ましくは、その共振周波数、もしくはその共振周波数の十分近傍で駆動されて、電源アダプタが固体素子光源に好適に用いられるように適合される。
【００２７】
しかしながら、共振回路を共振周波数の分数調波で駆動することにより、電源アダプタの力率、及び／又は効率は、改善されることがわかっている。最も好ましくは、共振回路は、１／ｘの分数調波で駆動され、ここでｘは、奇数であり、例えば、１／３、１／５、１／７となる。
【００２８】
共振回路を共振周波数の分数調波で駆動することは、共振駆動回路のスイッチング周波数とスイッチング損失が小さくなり、それによって電源アダプタの効率が改善されるという利点を有している。従来技術による共振回路のほとんどにおいては、分数調波で回路を駆動すると、電力が低減する。しかしＬＣＬ直列−並列共振回路は、後で詳述するように、０Ｈｚでその共振周波数の１つを持つようにすることができ、これによって負荷を低周波電流が通過するようにできる。従って、回路が共振周波数の分数調波で駆動された場合、共振回路を通過する電流と、負荷に伝達される電力は、実質的に変化しない。
【００２９】
ＬＣＬ直列−並列共振回路は、３つの共振周波数を持つように適合されてもよい。すなわち、０Ｈｚの第１の共振周波数つまり直流電流と、所与の入力電圧において負荷に依存しない定電流出力を提供する第２の共振周波数と、所与の入力電圧において負荷と共に変化する電流を与える第３の共振周波数、とである。これらの共振周波数は、好ましくは、第１のインダクタと、第２のインダクタと、第１のコンデンサを、それらの部品のリアクタンスが実質的に同じになるように選択することで実現される。第３の共振周波数は、第２の共振周波数に比べて、はるかに大きな電力を出力に提供できる。従って、電源アダプタのコントローラは、それぞれの異なる特性を利用するために、異なる共振周波数の間でスイッチングできるよう、適合されてもよい。例えば、電源アダプタのコントローラは、２３０Ｖと１１０Ｖの交流の間での入力電圧の変化を補償するために、第２の共振周波数と第３の共振周波数との間の切り替えるように適合されてもよい。このような制御の更なる例としては、照明システムの重要なポイントにトライアックを搭載することや、電源アダプタの力率及び／又は変動率を変更することが含まれる。
【００３０】
入力部の電圧が正弦波的に変化すると、上述のように構成されたＬＣＬ直列−並列共振回路によって入力部から引出（ｄｒａｗｎ）される電流は、本質的に矩形となる。しかし、共振回路によって入力部から引出される電流は、電源アダプタのコントローラによって変形されてもよい。従って、電源アダプタは、共振回路によって入力部から引出される電流の波形を決定するように適合されたコントローラを含んでもよい。特にコントローラは、入力部から引出される波形が、入力部における電圧波形形状により似るように、共振回路によって引出される電流の波形を変形するように適合されてもよい。特に共振回路により引出される電流は、概ね正弦波的であり、平坦化したピークをもつ波形を有しても良い。
【００３１】
共振回路は、好ましくは、共振駆動信号を共振回路に提供する、共振駆動回路によって駆動される。共振駆動信号は、好ましくは交流信号であり、好ましくはＦＥＴのような２つ又は４つの電子スイッチを制御できる発振器によって提供される。共振駆動信号は、典型的には矩形波形を有する。駆動回路の目的は、共振回路を交流電圧で励起することであり、その交流電圧は典型的には正電圧と負電圧のブロックで構成される。電子スイッチは通常、フルブリッジインバータ（４スイッチ）の形か、ハーフブリッジインバータ（２スイッチ）の形に接続される。
【００３２】
上記のように、電源アダプタは、共振回路により本質的に引出される電流波形を変更するように、具体的には波形の形状、及び／又は大きさを変更するように適合されてもよい。特に、共振駆動信号が共振回路に与えられてもよく、共振駆動信号は、所望の入力電流波形を決定するように適合される。例えば、共振駆動信号は、以下のもの、及びその組合せを含むさまざまな方法で適合されてもよい。ただしこれに限るものではない。（ｉ）交流駆動信号の半サイクル又は全サイクルの間に不感帯を導入する、（ｉｉ）駆動信号の周波数を変化させる、（ｉｉｉ）交流駆動信号の周期を欠落させる。
【００３３】
交流駆動信号の周期を欠落させる方法で駆動信号が適合される場合、これらの欠落する周期は、それぞれのメイン電源サイクルに対して、不連続構成、１つの連続するグループ構成、又は複数の連続するグループ構成として、構成されてもよい。欠落した周期が複数の連続するグループに配置される場合、メイン電源の各サイクルに対する連続グループ数は好ましくは、出力電力に見合って選択され、従って、出力電力に応じて可変となる。
【００３４】
以下で述べるように、電源アダプタは、固体素子光源からの光出力を制御するように適合されてもよい。この実施形態において、共振駆動信号は、好ましくは、固体素子光源からの光出力を決定するために、例えばコントローラにより変化してもよい。共振駆動信号は、好ましくは、電源アダプタの力率、及び／又は効率を最適化するように適合される。
【００３５】
あるいは、固体素子光源からの光出力が電源アダプタの入力部における電力変化によってのみ制御可能であるように、電源アダプタが構成されている場合、共振駆動信号は、好ましくは、電源アダプタの力率及び／又は効率を最適化するように、予め定められていてもよい。
【００３６】
上記のように、電源アダプタの任意のコントローラは、好ましくは、共振回路によって入力部から引出される電流の波形を決定するために、共振回路に与えられる共振駆動信号を制御するように適合される。電源アダプタのコントローラは、マイクロプロセッサ、アナログ電子回路や、アナログ電子回路とデジタル電子回路の任意の組み合わせ、等のような集積回路によって提供されてもよい。実際に、電源アダプタのコントローラは、非常に安価に製造できる、特定用途向け集積回路であってよい。この構成において、駆動回路の発振器は、集積回路の一部を成してもよいし、別の回路であってもよい。
【００３７】
共振回路を駆動する周波数の決定は、電源アダプタの効率をより上げるための調整に利用されてもよい。あるいは、共振回路を駆動する周波数は、固体素子光源へ供給する電力を変化させるために、使用中に変化させてもよい。
【００３８】
固体素子光源を駆動するための出力は、特にユーザが固体素子光源及び／又は関連する回路へアクセスするアプリケーションに対しては、共振回路から分離されてもよい。この場合この分離のために、電源アダプタは、好ましくは圧電変圧器を備える。
【００３９】
共振回路は、第１のコンデンサが接続された、一対の電位分割コンデンサを含んでもよい。あるいは、共振駆動回路が、単相インバータとしての２つのスイッチ枝（例えば“Ｈブリッジ”）を形成するように配置された４つの電子スイッチ（例えばＦＥＴ）を含む場合、コンデンサの対は、１つのコンデンサで置き換えることが可能である。これらのコンデンサは、好ましくは、Ｙコンデンサである。
【００４０】
別の実施形態において、共振駆動回路は、ＬＣＬ直列−並列共振回路とグランドとの間に接続された２つの電子スイッチ（例えばＦＥＴ）、すなわち２つの“ローサイド”スイッチを備える。２つのローサイドスイッチは、好ましくは、それぞれがオンとオフとの間を交互に入れ替わり、第１のスイッチがオンのときには第２のスイッチはオフであり、又はその逆となっている。この構成は、スイッチが集積回路などのような低電圧コントローラで駆動される場合、特に有利である。
【００４１】
この実施形態において、ＬＣＬ直列−並列共振回路の第１の共振インダクタは、好ましくは、２つのインダクタから成り、１つは第１のコンデンサの一端に接続され、もう１つは第１のコンデンサのもう一方の端部に接続される。この構成では、２つのインダクタの内の１つが、メイン電源の正側の半サイクルにおいてアクティブであり、２つのインダクタの内のもう１つが、メイン電源の負側の半サイクルにおいてアクティブとなる。一実施形態では、この２つのインダクタは、１つの共通のコアの周りに巻かれ、ＬＣＬ直列−並列共振回路の第１の共振インダクタは３、端子インダクタとなっている。
【００４２】
電源アダプタを、メイン電源に対して負荷抵抗のように見せるために、電源アダプタは、入力部における電圧の関数として入力部から電流を引出す。これは好ましくは以下のように実行される。（ｉ）電源アダプタ入力部におけるキャパシタンスを最小化する。（ｉｉ）入力部において電圧波形と実質的に位相が揃っている電流波形を、入力部から引出す。及び／又は、（ｉｉｉ）電圧に実質的に比例する電流を引出す。これらの機能は、電流のひずみ、及びメイン電源からの高調波電流を低減させ、メイン電源に存在する静電負荷をなくすことにより電源アダプタの効率及び力率を向上させる。実際、これらの機能により、電源アダプタ及びそれに接続された固体素子光源を、メイン電源に対しては通常のフィラメント光源として見せることが可能となる。
【００４３】
あるいはまた、電源アダプタを、メイン電源に対して負荷抵抗のように見せないために、電源アダプタは、入力部における電圧の関数として入力部から電流を引出してもよい。
【００４４】
固体素子光源は、好ましくは、単一の発光ダイオード（ＬＥＤ）もしくは２個以上の一組のＬＥＤである。電源アダプタは、好ましくは、固体素子光源にダメージを与える可能性のある逆方向電流がないようにするために、ダイオードブリッジなどの１つ又は複数のダイオードを出力部に含む。
【００４５】
電源アダプタの任意の制御回路は統合電源によって電力を供給されてもよい。又は、電源アダプタの制御回路は、共振回路の１つのインダクタに接続して、例えばそのインダクタと結合している巻線へ接続して、電力を供給されてもよい。
【００４６】
電源アダプタが統合電源を含む場合、統合電源は、好ましくは、メイン電源から直接電力を引出し、最も好ましくは、電源アダプタの入力部を経由して電力を引出す。特に、統合電源は、好ましくは、スイッチモードの定電流調整器などの定電流電源であり、これは好ましくは、過度の突入電流を発生させず、安価である。電源アダプタがトライアックやそれに類似の装置に接続されているときのように、定電流装置の電力が低く、従って効率が高くなるために、メイン電源のサイクルがオフの期間の間、制御回路は、好ましくは自分自身を遮断するようになっている。
【００４７】
電源アダプタは、好ましくは、故障検知回路も含む。これは例えば光源の故障あるいは切断により起きる可能性のある負荷がなくなった場合に、好ましくは振動駆動信号を除去することにより共振回路の動作を止める。故障検知回路は、好ましくは、共振回路の出力をコントローラに接続される。故障検知回路は、フィードバック回路であるが、好ましくは正常動作時には、共振回路の出力から最小の電力を引出す。従って、電力の出力を調整するアクティブフィードバックと混同してはならない。故障検知回路は、故障状態のときにのみアクティブとなり、正常使用時の出力制御には必須ではない。
【００４８】
電源アダプタは、メイン電源からの高調波電流の流入を減少させるために入力部にフィルタを含んでもよい。フィルタは、小さな非電解コンデンサとインダクタの回路網でできていてもよい。電源アダプタは、好ましくは、入力波形を一定極性の波形に変換するための整流器も入力部に含む。最も好ましくは、整流器は、交流電流波形の負（あるいは正）部分を反転させる、全波整流器である。しかし電源アダプタがＬＣＬ直列−並列共振回路の入力部に安定した直流信号を提供する必要はなく、従ってバルクコンデンサ（貯蔵コンデンサ、あるいは平滑コンデンサとしても知られている）を、好ましくは電源アダプタの入力部とＬＣＬ直列−並列共振回路との間には設けない。従って、電源アダプタは、好ましくは、電源アダプタの入力部と共振回路との間にバルク静電容量を実質的に持っていない。実際に、電源アダプタは、好ましくは実質的に電解コンデンサを含まない。このことにより、従来技術の固体素子照明システム用電源アダプタに比べて、最小リアクタアンス、最小突入電流、長寿命かつ小寸法、低コストの電源の設計が可能となる。バルクコンデンサは、電源アダプタの出力部に設けてもよい。ただしこれは、通常の固体素子光源に用いる電源アダプタの機能に対して必須ではない。
【００４９】
本発明による電源アダプタは、好ましくは、電源アダプタの入力部で使用可能な電力を決定するために、任意の電力低減装置を利用する照明システムへの使用に好適である。特に電力低減装置はバリアック（Ｖａｒｉａｃ）、あるいはレオスタットなどの可変抵抗であってもよい。電源アダプタは、また、電源アダプタの入力部における電力を低減するために、サイリスタの位相制御又はトライアックを利用した調光器を含む照明システムで機能するように適合されてもよい。しかしながらこの場合、照明ユニットの電源が切断されない限り、調光器の継続的な機能を確保するために、電源アダプタは、メイン電源から最小電流を取り込んで、メイン電源の全サイクルの間サイリスタを安定に保つようになっていてもよい。
【００５０】
本発明による電源アダプタの更なる利点は、例えば電源アダプタのコントローラによる、入力部での電圧モニタの必要がないことである。従って、本発明による電源アダプタは、入力部における電圧モニタのためのすべての手段を含まなくてよい。特に、電源アダプタは、入力部からの信号をコントローラが受信しないようになっていてもよい。
【００５１】
電源アダプタは、入力部から引出す電力を低減するために共振回路へ制御信号を送信できるコントローラを含んでもよい。しかし、別の実施形態においては、電源アダプタは、そのような機能を有するコントローラを含まない。特に電源アダプタは、電源アダプタの入力部で得られる電力を変化させることによってのみ、固体素子光源の光出力を制御できるようになっていてもよい。特に電源アダプタの入力部で得られる電力は、メイン電源に付属する外部電力低減装置などのような外部装置を利用して、変化させてもよい。この実施形態は、通常の照明回路に組み込むのに好適である統合電源アダプタを含む照明ユニットに対しての使用に特に好適である。電源アダプタの効率を最大化するために、電源アダプタは好ましくは、不可避的な損失を除いて、入力部で得られる全電力を、電源アダプタの出力に変換するようになっている。
【００５２】
本発明の更なる態様によれば、上述の電源アダプタと、少なくとも１つの固体素子光源を含む照明ユニットとを備えた照明システムが提供される。
【００５３】
照明ユニットには、一般的に複数の固体素子光源が設けられている。異なる色の光出力を実現するために、照明ユニットには、例えば、赤、緑、青の色を放出するＬＥＤのような、異なる色の光を放出する複数の固体素子光源が含まれる。さらに、演色性指数を上げるために照明ユニットに、琥珀色、シアン、白のＬＥＤも含まれてよい。
【００５４】
電源アダプタと照明ユニットが共通のハウジングを有してもよいし、別々に収納されてもよい。実際に、電源アダプタは、それぞれに複数の固体素子光源が含まれた複数の照明ユニットに電力を供給するように適合されてもよい。さらに、照明システムが、そのような電源アダプタを複数含んでいてもよい。照明システムは、可変抵抗、レオスタットやＳＣＲ位相制御を利用した調光器などの電力低減装置を含んでいてもよい。
【００５５】
本発明による電源アダプタは、通常の照明回路に組み込むのに好適である統合電源アダプタを含む照明ユニットに対しての使用に、特に好適である。従って、本発明の更なる態様によれば、メイン電源に直接接続するのに好適な照明ユニットが提供され、照明ユニットは、上述の電源アダプタと、１つ又は複数の固体素子光源とからなり、１つ又は複数の固体素子光源からの光出力は、電源アダプタの入力部における利用可能な電力を変化させることによって制御可能である。電源アダプタの効率を最大化するために、電源アダプタは、好ましくは、不可避的な損失を除いて、入力部で得られる全電力を、電源アダプタの出力に変換するように適合されている。
【００５６】
照明ユニットは、好ましくは、電源アダプタと１つ又は複数の固体素子光源を収納するハウジングと、電源アダプタの入力部をメイン電源に接続するコネクタと、を備える。コネクタは、好ましくは通常のフィラメント電球のソケットに接続できるように適合されている。具体的には、照明ユニットは、ベイオネット型、すなわちねじ山型コネクタを含んでよい。一実施形態において、１つ又は複数の固体素子光源からの光出力は、電源アダプタの入力部で得られる電力を変化させることによってのみ制御可能である。
【００５７】
本発明の更なる態様によれば、ＬＣＬ共振回路を組み込んだ、インピーダンス整合回路が提供され、ＬＣＬ共振回路は、入力端子と出力端子とを有し、第１のインダクタＬ１が第１の入力端子から第２のインダクタＬ２との共通点を通って第１の出力端子へ接続され、第２の入力端子は第２の出力端子へ直接接続され、コンデンサＣ１が２つのインダクタの間の共通点と、第２の入力端子と第２の出力端子との間の直接接続部との間に接続されており、入力端子は高周波インバータで駆動され、出力端子は、見掛け上のインピーダンスＲＬの負荷に接続され、部品Ｌ１、Ｌ２、Ｃ１の値は、少なくとも１つの周波数において、Ｌ１、Ｌ２、Ｃ１のリアクタンスの大きさがほぼ同じになるように選択され、そして、少なくとも１つの周波数において、入力端子から見た見掛け上のインピーダンスはＬＣＬ共振回路によって変換されて、コンデンサのリアクタンスの二乗を負荷の見掛け上のインピーダンスＲＬで割ったものにほぼ等しくなる。
【００５８】
高周波インバータの動作周波数は、好ましくは、Ｌ１、Ｌ２、Ｃ１のリアクタンスがほぼ同じとなる周波数に近い。
【００５９】
インピーダンス整合回路は、好ましくは、入力の電源電圧よりはるかに低い電圧仕様の、１つ又は複数のＬＥＤの駆動に適合される。
【００６０】
しかしこれとは別に、インピーダンス整合回路は、入力の電源電圧よりはるかに低い電圧仕様の、電池の充電に適合されるか、又は変化する見掛け上の負荷インピーダンスを供給電圧に対して動的に整合させることにより、２つ以上の速度でモータを駆動するのに適合される。
【００６１】
本発明の好適な実施形態を、添付の図面を参照しながら、説明の目的で以下に詳細に記述する。
【図面の簡単な説明】
【００６２】
【図１】本発明による電源アダプタの概略図である。
【図２】図１の電源アダプタの一部を構成する共振コントローラと共振駆動回路とを含む、共振回路の概略図である。
【図３】別の共振駆動回路を含む、図２の共振回路の概略図である。
【図４】図２に示す回路の第２の代替回路の概略図である。
【図５】図２に示す回路の第３の代替回路の概略図である。
【図６】図２に示す回路の第４の代替回路の概略図である。
【図７】図２に示す回路の第５の代替回路の概略図である。
【図８】本発明による照明システムの概略図である。
【発明を実施するための形態】
【００６３】
図１は、本発明による電源アダプタ２０を示す。電源アダプタ２０は、メイン回路から電力を引出す入力部２２と、固体素子照明ユニット５０の３つのＬＥＤ６０ａ、６０ｂ、６０ｃに電力を供給する出力部２４と、を備える。電源アダプタ２０は、入力部２２にフィルタ整流回路３０を含み、メイン回路から引出された交流電圧波形が、全波整流波形（ＤＣ＋）として電源アダプタの他の部分へ供給される。
【００６４】
電源アダプタは、低電力補助電源３２と共振回路３４も含む。共振回路３４は、共振コントローラ４０と共振駆動回路４２とを含み、詳細を以下で図２を参照して説明する。低電力補助電源３２は、共振コントローラ４０と共振駆動回路４２との統合回路に電力を供給するための、低電力直流出力（＋Ｖ）を供給する。これは電源アダプタの統合回路への電力を安定して供給し、これらの回路の安定した機能を保証する。他の実施形態において、電源アダプタの統合回路は、共振回路の１つのインダクタに結合した追加の巻線に接続することにより電力を受ける。従ってその場合、補助電源３２は、省略されることに留意されたい。
【００６５】
共振コントローラ４０と共振駆動回路４２とを含む共振回路３４が図２に示されている。共振コントローラ４０は、制御回路を含み、共振駆動回路４２を制御するように適合されている。特に、共振コントローラ４０は、共振駆動回路４２へ制御信号を供給し、それが、共振回路３４によって入力部から引出される電流形状を決定する。他の実施形態では、共振駆動回路４２は、自励発振式であり、制御回路が完全に省略されることに留意されたい。
【００６６】
共振回路３４は、ＬＣＬ直列−並列共振回路（Ｌ１、Ｃ１、Ｌ２）の形式を有する。共振駆動回路４２は、矩形波駆動信号でＬＣＬ直列−並列共振回路を駆動するように適合されている。この矩形波信号は、共振回路の第１の終端に接続された２つの電子スイッチ、例えばＦＥＴ、と付属の駆動回路４４とによって生成される。ＦＥＴは、共振コントローラ４０によって制御される。共振回路３４の出力は、ダイオードのブリッジを用いて整流され、整流器の出力部にあるコンデンサ（Ｃ５）によって平滑化され、ＬＥＤ６０ａ、６０ｂ、６０ｃを駆動するのに好適な出力とされる。コンデンサＣ２とＣ３は、実質的にＤＣ＋と０Ｖの中間電圧である、共振回路の第２の終端用の接続点を形成する。
【００６７】
あるいは、共振駆動回路４２は、図３に示すように、単相インバータとして、２つのスイッチング枝（“Ｈブリッジ”型）を形成するように配置された４つの電子スイッチ（例えばＦＥＴ）を含んでいる。この実施形態において、コンデンサＣ２とＣ３は、ＤＣ＋と０Ｖの間に接続された１つのコンデンサ（Ｃ２）で置き換えられている。スイッチングの遷移時間における過電圧損傷からスイッチを保護するために、小容量のコンデンサが必要とされ、回路は、直流電源を横切るコンデンサなしでは動作できない。
【００６８】
ＬＣＬ直列−並列共振回路は、選択された周波数において、Ｌ１のリアクタンス（ＸＬ１）、Ｃ１のリアクタンス（ＸＣ１）、Ｌ２のリアクタンス（ＸＬ２）が実質的に等しくなるように構成される。この構成においては、ＬＣＬ直列−並列共振回路は、ゼロではない共振周波数を２つ持つ。リアクタンスが等しくなる周波数は、ゼロでない２つの共振周波数の内の１つである。この周波数で共振回路を駆動する場合、共振回路は、負荷に拘わらず定電流を出力部へ、つまりＬＥＤ６０ａ、６０ｂ、６０ｃに供給する。定電流の大きさは入力電圧に比例する。この共振周波数は、
【数２】
0005715059.tif 000003
である。
【００６９】
従って、共振コントローラ４０と共振駆動回路４２とは、ＬＣＬ直列−並列共振回路をこの共振周波数ω１の付近に励起するように適合されている。共振回路を共振周波数付近で駆動する結果、電子スイッチのスイッチング損失は、低減され、従って回路の効率が向上する。更なる利点として、電導及び放射による電磁干渉が減少し、その結果、そのためのフィルタリング及びスクリーニングの部品代が節約できる。
【００７０】
ＬＣＬ直列−並列共振回路のこの構成による通常特性は、入力電圧に直接関係する電力を引出すことである。特に制御しないでも、入力部２２での電圧が正弦波で変化すれば、入力部２２から引出される交流電流は、矩形波となる。しかし、スイッチのオンタイム変調、及び／又は周波数を利用して、各ゼロクロス近傍の入力２２から引出される電力を低減し、それによって入力電流の高調波を改善することが可能である。それに加えて、整流器の出力部の任意選択のコンデンサ（Ｃ５）によって、ＬＥＤへ供給される電力を平滑化することができ、出力光の変動が低減される。
【００７１】
好ましくは、ＬＣＬ直列−並列共振回路の出力部と、共振コントローラ４０のＰＩＣ上の無効ピンとの間の抵抗Ｒ１を介した接続と、抵抗Ｒ２を介した０Ｖへの接続とを含む、故障検出回路が備えられる。故障検出回路は、最小限の電力を引出す。しかし、ＬＥＤ６０ａ、６０ｂ、６０ｃの導通が停止すると、関連する故障検出回路が、共振回路の出力部の電圧上昇を速やかに検知し、共振コントローラ４０に、共振駆動回路４２への出力を閉鎖させ、それによって共振回路３４から駆動信号を除去させる。図２において、故障検出回路がＬ２とダイオードブリッジとの間に接続されていることが示されている。しかし、この回路は、ダイオードブリッジの正側の終端と、出力部２４の正端子との間に接続されてもよいことに留意されたい。
【００７２】
ＬＥＤ６０ａ、６０ｂ、６０ｃへ分配される電力量はメイン電源の入力電圧を変えることによって変化させることができる。このため電力低減装置１０と共に用いるのが好適である。
【００７３】
図４は、図２の回路の更なる代替回路を示す。ここでは共振コントローラ４０は、省略されている。この実施形態においては、共振駆動回路４２は、共振回路の第１の終端に接続された、２つの電子スイッチ、例えばＦＥＴと、電子スイッチに好適な駆動信号を供給可能な、任意形式のアナログ回路又はデジタル回路である付属の駆動回路４４と、からなる。さらに、この実施形態は、故障検出回路（図２及び図３のＲ１とＲ２）も、整流器の出力部のコンデンサ（図２及び図３のＣ５）も含まない。
【００７４】
図１〜４に関連する上記の各電源アダプタは、高電圧電源（例えば、１１０Ｖ又は２３０Ｖ、周波数５０Ｈｚ又は６０Ｈｚの交流）に接続され、固体素子光源などの低電圧（例えば１０〜２０Ｖ）の負荷を駆動するのに好適な出力を、提供するように適合されている。特に、各電源アダプタのＬＣＬ直列−並列共振回路は、磁気変圧器を必要としないで、電源に対して、著しく降圧した電圧と、著しく増大させた電流とを有する出力を提供するように適合されている。
【００７５】
図１〜４に関連して説明した、電源アダプタのＬＣＬ直列−並列共振回路のそれぞれは、４つのスイッチング装置を有するフルブリッジインバータ、もしくは２つのスイッチング装置を有するハーフブリッジインバータと、電圧分割コンデンサとに接続された、第１の端子と第２の端子とを有している。第１のインダクタＬ１と第１のコンデンサＣ１とは、第１の端子から第２の端子へ向かって直列に接続されている。回路の負荷への枝は、第１のコンデンサＣ１に並列に接続される。ここで負荷への枝は、整流手段に対して直列の第２のインダクタＬ２を備え、単一方向電流を負荷に供給し、共振回路中の電流は、高周波の交流電流となっている。
【００７６】
そのような回路において、第１のコンデンサＣ１の両端にかかる電圧が負荷の枝を通して流れる電流を決定する。従って、第１のインダクタＬ１のリアクタンスを増加させれば、この部品の両端でより大きな電圧降下が起き、負荷の枝にかかる電圧を、所要の低電圧によりよく整合させられることが期待される。
【００７７】
しかし実際にはそうではないことが判明した。ただし、負荷の枝の電流が第１のインダクタＬ１中の電流よりもはるかに大きくなるように、共振回路部品Ｌ１、Ｌ２、Ｃ１の値を選択することが可能である。
【００７８】
この回路の負荷枝中の電流は、任意の周波数において次式で与えられる。
【数３】
0005715059.tif 000004
ここで、ＸＬ１、ＸＬ２、ＸＣ１は共振回路部品Ｌ１、Ｌ２、Ｃ１のそれぞれのリアクタンスであり、Ｖは励起電圧、ＲＬは負荷の実効抵抗、ｊは無効成分である。
【００７９】
ＸＬ１＝ＸＬ２＝−ＸＣ１である場合には、上の式は、次のように簡単になる。
【数４】
0005715059.tif 000005
この場合には、負荷中の電流は、負荷に依存せず、入力電源電圧に比例する。
【００８０】
さらにＸＣ１を減少させると、同じ電圧に対して負荷電流が増加する結果となる。しかし、本発明の重要な点は、共振点において、回路の入力抵抗は、
【数５】
0005715059.tif 000006
となり、これを変形すると、次のようになる。
【数６】
0005715059.tif 000007
【００８１】
従って、所与の負荷ＲＬをＲｉｎの所要の（大きな）値に合わせて入力部から引出す電流を小さくし、負荷に供給する電流を高くするように、ＸＣ１の値を選択することが可能となる。
【００８２】
このように、本発明のこの実施形態では、コンデンサとインダクタの値を適正に選択することにより、高い電源電圧で、低電圧のＬＥＤ列を駆動することが可能である。この回路が定電流である点も、利点となっている。
【００８３】
一例として、電流仕様が１Ａで順方向電圧が１２ＶのＬＥＤ列が、２３０ＶＡの交流電源で駆動される場合を考える。負荷ＲＬの見掛け上の抵抗は１２Ωである。負荷の電力は１２Ｗであるので、入力電力は（損失がないとして）１２Ｗである。共振回路の駆動に、分割されたコンデンサを持つハーフブリッジインバータが使用される場合、共振回路にかかる実効電圧は、±１１５Ｖである。従って、所要の入力抵抗は、約１１００Ωである。よって、Ｘｃｉの値は１１５Ωとなり、これは周波数７０ｋＨｚでは２０ｎＦのキャパシタンスに対応する。これに対応するＬ１とＬ２の値は、２６０μＨとなる。
【００８４】
本発明による、電源アダプタの更なる実施形態を図５に示す。この実施形態は、前の実施形態と同様であって、ハーフブリッジインバータ（Ｍ１、Ｍ２）、ＬＣＬ直列−並列共振回路（Ｌ１、Ｃ１、Ｌ２）、一対の電位分割コンデンサ（Ｃ２、Ｃ３）、ショットキーダイオードブリッジ（Ｄ１−Ｄ４）、及び出力部のコンデンサ（Ｃ４）からなる。出力は、直列に接続された１つ又は複数のＬＥＤ（図５では、２つのＬＥＤ、すなわちＬＥＤ１とＬＥＤ２とを示す）に接続される。
【００８５】
ただしこの実施形態では、ＬＣＬ直列−並列共振回路のコンデンサ（Ｃ１）が圧電変圧器によって画定されている点が、前の実施形態とは違っている。圧電変圧器は、ＰＺＴ（チタン酸ジルコン酸鉛）などのセラミック材料でできた、４つの圧電変圧素子で構成されている。
【００８６】
圧電変圧器を含むＬＣＬ直列−並列共振回路は、電源に対して、電圧が大幅に低く、電流が大幅に大きい出力を提供するように適合される。具体的には、この電源アダプタは高電圧の電源（例えば、１１０Ｖ又は２３０Ｖ、周波数５０Ｈｚ又は６０Ｈｚの交流）に接続し、低電圧（例えば１０〜２０Ｖ）の固体素子光源を駆動するのに好適な出力を提供するように適合される。
【００８７】
圧電変圧器はまた、電源アダプタの出力を電源アダプタの入力から分離する。
【００８８】
本発明による、電源アダプタの更なる実施形態を図６に示す。この実施形態は前の実施形態と同様であって、ＬＣＬ直列−並列共振回路（Ｌ１、Ｃ１、Ｌ２）、一対の電位分割コンデンサ（Ｃ２、Ｃ３）、ショットキーダイオードブリッジ（Ｄ１−Ｄ４）とからなり、出力部にコンデンサ（Ｃ４）がある。出力は、直列に接続された２つのＬＥＤ（ＬＥＤ１、ＬＥＤ２）に接続されている。
【００８９】
この実施形態が前の実施形態と違うのは、この共振駆動回路は、ＬＣＬ直列−並列共振回路とグランドとの間に２つのＦＥＴ（Ｍ１とＭ２）、すなわち２つの“ローサイド”スイッチがあることである。この２つのローサイドスイッチは、それぞれがオンとオフとの間を交互に入れ替わり、第１のスイッチがオンのときには第２のスイッチはオフであり、又はその逆となっていて、矩形波の駆動信号を生成できるようになっている。
【００９０】
さらに、前の実施形態のＬＣＬ直列−並列共振回路の第１の共振インダクタ（Ｌ１）が２つのインダクタ（Ｌ１ａとＬ１ｂ）に置き替えられており、１つはコンデンサＣ１の一端に接続され、もう１つはコンデンサＣ１のもう一端に接続されている。この構成では、この２つのインダクタの内の１つ（Ｌ１ａ）が、出力部で共振周波数の正側の半サイクルにおいてアクティブであり、２つのインダクタの内のもう１つ（Ｌ１ｂ）が、出力部で共振周波数の負側の半サイクルにおいてアクティブとなる。
【００９１】
この実施形態は、スイッチ（Ｍ１、Ｍ２）が集積回路等のような低電圧コントローラで駆動される構成において、特に有利である。
【００９２】
本発明による電源アダプタの更なる実施形態を図７に示す。この実施形態は、図５に示した構成に対応する圧電変圧器を構成中に含む点を除けば、図６に示す実施形態と同じである。この実施形態は、図５と図６に関連して述べた利点を組み合わせたものである。
【００９３】
最後に、図８は、本発明による照明システムを示す。照明システムは、メイン電源Ｌ、Ｎと、トライアックなどの電力低減装置１０とを含むメイン回路に接続され、本発明による電源アダプタ２０と固体素子照明ユニット５０とを含む。固体素子照明ユニット５０は、直列接続された３つのＬＥＤ６０ａ、６０ｂ、６０ｃを含む。電源アダプタ２０は、メイン回路から電力を供給され、固体素子照明ユニット５０のＬＥＤ６０ａ、６０ｂ、６０ｃに電力を供給するように適合されている。
【図１】
0005715059.tif 000008
【図２】
0005715059.tif 000009
【図３】
0005715059.tif 000010
【図４】
0005715059.tif 000011
【図５】
0005715059.tif 000012
【図６】
0005715059.tif 000013
【図７】
0005715059.tif 000014
【図８】
0005715059.tif 000015